(57)【要約】      （修正有）【課題】安全かつ効率よく施工できる天井工事用の補助工具を提供する。【解決手段】天井に吊りボルト等を取り付ける補助工具であって、先端工具が着脱自在に取り付けられるアダプター部３と、ドリル先端のチャック４に着脱自在に取り付けられるドリル取り付け部５と、アダプター部とドリル取り付け部とを互いに連結する連結部６とを備え、連結部は、長さの異なる種々の接続ボルトを備え、その接続ボルトを取り替えることにより長さが調整可能である。【選択図】図１
0003191564.tif 000002
【実用新案登録請求の範囲】
【請求項１】
先端工具が着脱自在に取り付けられるアダプター部と、ドリル先端のチャックに着脱自在に取り付けられるドリル取り付け部と、前記アダプター部とドリル取り付け部とを互いに連結する連結部とを備え、その連結部は、長さの異なる種々の接続ボルトを備え、その接続ボルトを取り替えることにより、天井までの長さが調整可能であることを特徴とする補助工具。
【請求項２】
前記接続ボルトは、床で作業する作業者の手元から天井まで届く長さを有していることを特徴とする請求項１に記載の補助工具。
【請求項３】
前記先端工具２は、工事内容に応じて使用される、ベルや、六角ボックスレンチや、ドリルチャックであることを特徴とする請求項１に記載の補助工具。
【考案の詳細な説明】
【技術分野】
【０００１】  本考案は、建築工事現場の高所（スラブ）に取り付ける先行ボルト吊り工事を安全かつ効率よく施工できる補助工具に関する。
【背景技術】
【０００２】  最近の建築工事では、建物内の外壁面と最上階スラブ面には結露防止と断熱のため、発砲ウレタンの吹付、及び鉄骨構造体には、耐火被覆材（石綿）の吹付をするが、この工事に伴い、天井工事及び電気・設備工事用に、スラブ内に仕込まれたインサートが隠れてしまうため、先行して２００ｍｍから３００ｍｍのボルトを吊り込む工事を必要とする。
【先行技術文献】
【特許文献】
【０００３】
【特許文献１】  特開平１０−０５４１４２号公報
【特許文献２】  特開平０６−１９０６１７号公報
【特許文献３】  実開平０６−０１５９８１号公報
【考案の概要】
【考案が解決しようとする課題】
【０００４】  特に、天井にボルトを吊り込む工事では、各特許文献に示すように、棚足場を組んだり、脚立、台馬を持ち廻ったり、又は高所作業車等や専用の移動台を使用してボルトを吊り込む必要がある。しかし、棚足場を組むと人手とコストが掛かる。また、脚立、台馬などの簡易足場を使用すると、転倒・転落事故が後を絶たないし、昇ったり降りたりの作業も効率が悪い。加えて、特許文献に記載の専用移動台を使用すると、床に種々の資材が置かれている現場では、却って作業がし難い等の問題がある。【０００５】  本考案は、こうした諸問題を解決することのできる、安全かつ効率よく施工できる天井工事用の補助工具を提供することを課題とする。
【課題を解決するための手段】
【０００６】  本考案に係る補助工具は、先端工具が着脱自在に取り付けられるアダプター部と、ドリル先端のチャックに着脱自在に取り付けられるドリル取り付け部と、前記アダプター部とドリル取り付け部とを互いに連結する連結部とを備え、その連結部は、長さの異なる種々の接続ボルトを備え、その接続ボルトを取り替えることにより、天井までの長さが調整可能であることを特徴とする。【０００７】  この接続ボルトは、床で作業する作業者の手元から天井まで届く長さであれば良い。こうした長さの異なる種々のボルトは、吊りボルトの施工を行う現場では、常備されているので、その中から最適なものを接続ボルトとして使用することにより、種々の天井高さに対応することができる。【０００８】  使用に際しては、ドリル取り付け部を電動ドリルやインパクトドリルの先端チャックに取り付け、アダプター部には、吊りボルト装着用の先端工具を取り付ける。そして、天井まで届く長さの接続ボルトをアダプター部とドリル取り付け部との間に連結して、作業者の手元から天井まで先端工具が届くように調整する。
先端工具としては、ボルト締め用のベル（全ネジソケット）、六角ボックスレンチ、ドリルチャック等があり、これらを使い分けて種々の工事に対応する。
【考案の効果】
【０００９】  本考案によれば、棚足場や脚立、台馬等に昇らなくても、床から天井に簡単にボルトを吊り込むことができる。したがって、棚足場を必要としないから、コストを抑えることができる。また、棚足場や脚立等を使用しないから、転倒事故も起きないし、それに昇ったり降りたりもしないから、作業効率も格段に向上する。加えて、接続ボルトは、工事現場に常備されている種々の長さのものから選択することができるから、天井高さに応じて、接続ボルトも簡単に取り替えることができる利点がある。
【図面の簡単な説明】
【００１０】
【図１】本考案に係る補助工具の正面図
【図２】先端工具の一例を示す図であって、（ａ）は、ベルの平面図と正面図、（ｂ）は、六角ボックスレンチの平面図と正面図、（ｃ）は、ドリルチャックの平面図と正面図である。
【考案を実施するための形態】
【００１１】  以下、本考案に係る補助工具の一実施形態を、図面を参照しながら説明する。
図１は、補助工具全体の正面図を示す。この図において、補助工具１は、図２に示す先端工具２が着脱自在に取り付けられるアダプター部３と、インパクトドリル先端のチャック４に着脱自在に取り付けられるドリル取り付け部５と、前記アダプター部３とドリル取り付け部５とを互いに連結する着脱自在な連結部６とを備える。
【００１２】  アダプター部３は、先端工具２のシャンク部２０を装着するアダプター本体３１と、そのアダプター本体３１のベース部に取り付けられた袋ナット部３２とから構成される。アダプター本体３１は、軸方向にスライドする操作リング３３を備え、その操作リング３３を軸方向にスライドさせてから、先端部に先端工具２のシャンク部２０を挿入すれば、アダプター部３に先端工具２がセットできるようになっている。
また、先端工具２としては、工事内容に応じて、例えば、図２に示すように、ベル２１（ボルト締め工具）、六角ボックスレンチ２２、ドリルチャック２３等を使用することができる。
また、袋ナット部３２には、天井に届く長さの接続ボルト６がねじ込まれる。この袋ナット３２と接続ボルト６は、前述の連結部６を構成するもので、使用に際しては、両端までネジが切られた全ネジボルトを使用する。
【００１３】  一方、ドリル取付部５は、先端に袋ナット部５１を備え、その後端にインパクトドリルのチャック４に装着されるシャンク部５２が取り付けられている。また、袋ナット部５１には、前述の接続ボルト６の一方の端部がねじ込まれる。また、この袋ナット部５１も前記連結部６の一部を構成する。
【００１４】  使用に際しては、天井の高さに応じた長さの接続ボルト６を用意し、それをアダプター部３とドリル取付部５の袋ナット部３２、５１にそれぞれねじ込んで固定する。そして、アダプター部３に適合する先端工具２を取り付けて、天井に取り付けられたインサートに吊りボルトをねじ込む。これにより、棚足場や脚立等を使用せずに、床から直に天井までの取り付け工事を行うことができる。
【符号の説明】      １      補助ボルト
２      先端工具
３      アダプター部
４      ドリルチャック
５      ドリル取り付け部
６      連結部（接続ボルト）
【図１】
0003191564.tif 000003
【図２】
0003191564.tif 000004
【手続補正書】
【提出日】平成26年2月10日(2014.2.10)
【手続補正１】
【補正対象書類名】実用新案登録請求の範囲
【補正対象項目名】請求項３
【補正方法】変更
【補正の内容】
【請求項３】
前記先端工具は、工事内容に応じて使用される、ベルや六角ボックスレンチや、ドリルチャックであることを特徴とする請求項１に記載の補助工具。